(57)【要約】      （修正有）【課題】追記型記録媒体に対して情報の記録中にエラーが発生しても、記録の連続性が途切れずに追記が可能になるようにする。【解決手段】ホストコンピュータからサーティファイコマンドを受信したとき、挿入されたＤＶＤ＋Ｒディスクの欠陥検出を開始し（Ｓ１）、予め設定されているサーティファイ終了アドレスに到達したか否かを判定する（Ｓ２）。終了アドレスでなかった場合には、引き続きサーティファイ動作を続行してサーボエラー発生か否かを判断し（Ｓ３）、サーボエラー発生でなければＳ２へ戻り、サーボエラー発生ならばＳ４へ進む。Ｓ２で終了アドレスであった場合は、ＤＶＤ＋Ｒディスク上の第３リザーブドゾーンに当該ＤＶＤ＋Ｒディスク上で検出されたエラーＥＣＣブロック情報を記録し（Ｓ５）、この処理を終了する。Ｓ３でサーボエラーが発生した場合、そのサーボエラーが発生したＥＣＣブロックアドレスをバッファメモリに登録する（Ｓ４）。【選択図】図２
2006190378.tif 000002
【特許請求の範囲】
【請求項１】
記録媒体に対して所定の記録単位で情報の記録と再生が可能な情報記録再生装置において、
前記追記型記録媒体の全面又は所定領域の欠陥を検出する欠陥検出手段と、該欠陥検出手段によって検出した欠陥が含まれるＥＣＣブロックナンバを前記追記型記録媒体上に記録して管理する欠陥領域管理手段と、前記追記型記録媒体にユーザデータを記録するとき、前記欠陥領域管理手段によって管理されている欠陥が含まれるＥＣＣブロックナンバのエラーＥＣＣブロックをスキップして後続のＥＣＣブロックにデータを記録する手段を設けたことを特徴とする情報記録再生装置。
【請求項２】
請求項１記載の情報記録再生装置において、
ホストコンピュータから送信された欠陥検出を指示する命令に基づいて前記欠陥検出手段による前記追記型記録媒体の全面又は所定領域の欠陥の検出を開始させる手段を設けたことを特徴とする情報記録再生装置。
【請求項３】
請求項１記載の情報記録再生装置において、
前記欠陥検出手段は、前記追記型記録媒体の全面又は所定領域をトラッキングし、そのトラッキングの結果、サーボエラーが発生したセクタに欠陥があると検出する手段であることを特徴とする情報記録再生装置。
【請求項４】
請求項１記載の情報記録再生装置において、
前記エラーＥＣＣブロックには論理ブロックアドレスを割り当てないようにする手段を設けたことを特徴とする情報記録再生装置。
【請求項５】
請求項１記載の情報記録再生装置において、
前記エラーＥＣＣブロックの次のＥＣＣブロックには特定の記録パターンで記録されたＥＣＣブロックを付加して前記次のＥＣＣブロックには前記ユーザデータを記録しないようにし、更に前記次のＥＣＣブロックのさらに次のＥＣＣブロックからユーザデータを記録する手段を設けたことを特徴とする情報記録再生装置。
【請求項６】
請求項５記載の情報記録再生装置において、
前記エラーＥＣＣブロック直後のＥＣＣブロックにも論理ブロックアドレスを割り当てないようにする手段を設けたことを特徴とする情報記録再生装置。
【請求項７】
請求項１記載の情報記録再生装置において、
前記欠陥検出手段によって前記追記型記録媒体に対する欠陥の検出中に所定数以上の欠陥を検出したときは、前記追記型記録媒体に対して記録禁止にする手段を設けたことを特徴とする情報記録再生装置。
【請求項８】
請求項１記載の情報記録再生装置において、
前記欠陥検出手段によって前記追記型記録媒体に対する欠陥の検出中に前記追記型記録媒体の単位領域内に所定数以上の欠陥を検出したときは、前記追記型記録媒体に対して記録禁止にする手段を設けたことを特徴とする情報記録再生装置。
【請求項９】
追記型記録媒体に対して所定の記録単位で情報の記録と再生が可能な情報記録再生装置において、
前記追記型記録媒体の全面又は所定領域の欠陥を検出する欠陥検出手段と、該欠陥検出手段によって検出した欠陥が含まれるＥＣＣブロックナンバを前記追記型記録媒体上の内周部の所定領域に１ＥＣＣブロック単位で記録して管理する欠陥領域管理手段と、前記追記型記録媒体にユーザデータを記録するとき、前記欠陥領域管理手段によって管理されている欠陥が含まれるＥＣＣブロックナンバのエラーＥＣＣブロックをスキップして後続のＥＣＣブロックにデータを記録する手段とを有し、
前記欠陥検出手段によって再度前記追記型記録媒体の全面又は所定領域の欠陥を検出し、前回の欠陥の検出で検出されなかったエラーＥＣＣブロックを含む全エラーＥＣＣブロックナンバを前記追記型記録媒体の前記所定領域の未記録部に追記する手段を設けたことを特徴とする情報記録再生装置。
【請求項１０】
請求項９記載の情報記録再生装置において、
前記追記型記録媒体の前記内周部の所定領域に１ＥＣＣブロック単位で記録した欠陥が含まれるＥＣＣブロックナンバを前記追記型記録媒体の外周部の所定領域にも記録する手段を設けたことを特徴とする情報記録再生装置。
【請求項１１】
請求項１０記載の情報記録再生装置において、
前記追記型記録媒体に前記エラーＥＣＣブロックナンバを記録又は前記追記型記録媒体に記録された前記エラーＥＣＣブロックナンバを更新するときは、前記追記型記録媒体の前記内周部の所定領域に記録した後に、前記追記型記録媒体の前記外周部の所定領域に記録する手段を設けたことを特徴とする情報記録再生装置。
【請求項１２】
請求項１０又は１１記載の情報記録再生装置において、
前記追記型記録媒体が挿入された後に、前記追記型記録媒体の前記内周部の所定領域と前記外周部の所定領域に記録されている前記エラーＥＣＣブロックナンバを再生し、前記内周部の所定領域から再生したエラーＥＣＣブロックナンバと前記外周部の所定領域から再生したエラーＥＣＣブロックナンバとが異なるときは、前記追記型記録媒体に対する記録及び再生を禁止する手段を設けたことを特徴とする情報記録再生装置。
【請求項１３】
請求項１０又は１１記載の情報記録再生装置において、
前記追記型記録媒体が挿入された後に、前記追記型記録媒体の前記内周部の所定領域と前記外周部の所定領域に記録されている前記エラーＥＣＣブロックナンバを再生し、前記内周部の所定領域から再生したエラーＥＣＣブロックナンバと前記外周部の所定領域から再生したエラーＥＣＣブロックナンバとが異なるときは、前記内周部の所定領域から再生したエラーＥＣＣブロックナンバを採用して前記追記型記録媒体に対する再生のみを可能にする手段を設けたことを特徴とする情報記録再生装置。
【請求項１４】
請求項９乃至１３のいずれか一項に記載の情報記録再生装置において、
前記エラーＥＣＣブロックナンバを記録した後に再生して再生エラーが発生したとき、次のＥＣＣブロックに前記エラーＥＣＣブロックナンバを記録する手段を設けたことを特徴とする情報記録再生装置。
【発明の詳細な説明】
【技術分野】
【０００１】
この発明は、ＣＤ−Ｒディスク、ＣＤ−ＲＷディスク、ＤＶＤ−Ｒディスク、ＤＶＤ−ＲＷディスク、ＤＶＤ＋Ｒディスク、ＤＶＤ＋ＲＷディスク、ＤＶＤ−ＲＡＭディスク，ＤＶＤ−ＢＬＵＥディスク等の記録媒体に対して情報を記録又は再生する情報記録再生装置に関する。
【背景技術】
【０００２】
従来、記録媒体に対する情報の記録時にエラーが発生した場合に代替領域に交替させる情報記録再生装置（例えば、特許文献１参照）があった。
このような情報記録再生装置は、記録媒体上に代替領域が用意されている記録媒体に対して有効であり、代替領域が無い記録媒体に対して交替処理は不可能である。
【特許文献１】特開平２００１−２２９６２２号公報
【発明の開示】
【発明が解決しようとする課題】
【０００３】
しかしながら、従来の情報記録再生装置では、例えば、ＤＶＤ＋Ｒディスクのような追記型記録媒体（追記型光ディスク，追記型記録ディスク）に対して情報の記録中にサーボエラーなどのエラーが発生すると（記録媒体上に傷や欠陥が存在する場合に、記録中にトラックサーボ外れなどのエラーが発生し易い）、記録の連続性が途切れ、その追記型記録媒体に対しての追記が不可能となるという問題があった。
なお、ＤＶＤ＋ＲＷディスクのような書き換え可能な記録媒体については、マウントレイニア（Ｍｔ．Ｒａｉｎｉｅｒ：ＭＲＷ）などのディフェクトマネージメントを施した技術によって上述のような不具合を起こらないようにしているが、ＤＶＤ＋Ｒディスクのような追記型記録媒体に対するディフェクトマネージメント技術は存在しなかった。
この発明は上記の点に鑑みてなされたものであり、追記型記録媒体に対して情報の記録中にエラーが発生しても、記録の連続性が途切れずに追記が可能になるようにすることを目的とする。
【課題を解決するための手段】
【０００４】
この発明は上記の目的を達成するため、次の情報記録再生装置を提供する。
（１）所定の記録単位で追記型記録媒体に情報の記録と再生が可能な情報記録再生装置において、上記追記型記録媒体の全面又は所定領域の欠陥を検出する欠陥検出手段と、該欠陥検出手段によって検出した欠陥が含まれるＥＣＣブロックナンバを上記追記型記録媒体上に記録して管理する欠陥領域管理手段と、上記追記型記録媒体にユーザデータを記録するとき、上記欠陥領域管理手段によって管理されている欠陥が含まれるＥＣＣブロックナンバのエラーＥＣＣブロックをスキップして後続のＥＣＣブロックにデータを記録する手段を設けた情報記録再生装置。
（２）上記（１）の情報記録再生装置において、ホストコンピュータから送信された欠陥検出を指示する命令に基づいて上記欠陥検出手段による上記追記型記録媒体の全面又は所定領域の欠陥の検出を開始させる手段を設けた情報記録再生装置。
【０００５】
（３）上記（１）の情報記録再生装置において、上記欠陥検出手段を、追記型記録媒体の全面又は所定領域をトラッキングし、そのトラッキングの結果、サーボエラーが発生したセクタに欠陥があると検出する手段にした情報記録再生装置。
（４）上記（１）の情報記録再生装置において、上記エラーＥＣＣブロックには論理ブロックアドレスを割り当てないようにする手段を設けた情報記録再生装置。
（５）上記（１）の情報記録再生装置において、上記エラーＥＣＣブロックの次のＥＣＣブロックには特定の記録パターンで記録されたＥＣＣブロックを付加して上記次のＥＣＣブロックには上記ユーザデータを記録しないようにし、更に上記次のＥＣＣブロックのさらに次のＥＣＣブロックからユーザデータを記録する手段を設けた情報記録再生装置。
（６）上記（５）の情報記録再生装置において、上記エラーＥＣＣブロック直後のＥＣＣブロックにも論理ブロックアドレスを割り当てないようにする手段を設けた情報記録再生装置。
【０００６】
（７）上記（１）の情報記録再生装置において、上記上記欠陥検出手段によって上記追記型記録媒体に対する欠陥の検出中に所定数以上の欠陥を検出したときは、上記追記型記録媒体に対して記録禁止にする手段を設けた情報記録再生装置。
（８）上記（１）の情報記録再生装置において、上記上記欠陥検出手段によって上記追記型記録媒体に対する欠陥の検出中に上記追記型記録媒体の単位領域内に所定数以上の欠陥を検出したときは、上記追記型記録媒体に対して記録禁止にする手段を設けた情報記録再生装置。
【０００７】
（９）所定の記録単位で追記型記録媒体に情報の記録と再生が可能な情報記録再生装置において、上記追記型記録媒体の全面又は所定領域の欠陥を検出する欠陥検出手段と、該欠陥検出手段によって検出した欠陥が含まれるＥＣＣブロックナンバを上記追記型記録媒体上の内周部の所定領域に１ＥＣＣブロック単位で記録して管理する欠陥領域管理手段と、上記追記型記録媒体にユーザデータを記録するとき、上記欠陥領域管理手段によって管理されている欠陥が含まれるＥＣＣブロックナンバのエラーＥＣＣブロックをスキップして後続のＥＣＣブロックにデータを記録する手段を有し、上記欠陥検出手段によって再度上記追記型記録媒体の全面又は所定領域の欠陥を検出し、前回の欠陥の検出で検出されなかったエラーＥＣＣブロックを含む全エラーＥＣＣブロックナンバを上記追記型記録媒体の上記所定領域の未記録部に追記する手段を設けた情報記録再生装置。
【０００８】
（１０）上記（９）の情報記録再生装置において、上記追記型記録媒体の上記内周部の所定領域に１ＥＣＣブロック単位で記録した欠陥が含まれるＥＣＣブロックナンバを上記追記型記録媒体の外周部の所定領域にも記録する手段を設けた情報記録再生装置。
（１１）上記（１０）の情報記録再生装置において、上記追記型記録媒体に上記エラーＥＣＣブロックナンバを記録又は上記追記型記録媒体に記録された上記エラーＥＣＣブロックナンバを更新するときは、上記追記型記録媒体の上記内周部の所定領域に記録した後に、上記追記型記録媒体の上記外周部の所定領域に記録する手段を設けた情報記録再生装置。
【０００９】
（１２）上記（１０）又は（１１）の情報記録再生装置において、上記追記型記録媒体が挿入された後に、上記追記型記録媒体の上記内周部の所定領域と上記外周部の所定領域に記録されている上記エラーＥＣＣブロックナンバを再生し、上記内周部の所定領域から再生したエラーＥＣＣブロックナンバと上記外周部の所定領域から再生したエラーＥＣＣブロックナンバとが異なるときは、上記追記型記録媒体に対する記録及び再生を禁止する手段を設けた情報記録再生装置。
【００１０】
（１３）上記（１０）又は（１１）の情報記録再生装置において、上記追記型記録媒体が挿入された後に、上記追記型記録媒体の上記内周部の所定領域と上記外周部の所定領域に記録されている上記エラーＥＣＣブロックナンバを再生し、上記内周部の所定領域から再生したエラーＥＣＣブロックナンバと上記外周部の所定領域から再生したエラーＥＣＣブロックナンバとが異なるときは、上記内周部の所定領域から再生したエラーＥＣＣブロックナンバを採用して上記追記型記録媒体に対する再生のみを可能にする手段を設けた情報記録再生装置。
（１４）上記（９）〜（１３）のいずれかの情報記録再生装置において、上記エラーＥＣＣブロックナンバを記録した後に再生して再生エラーが発生したとき、次のＥＣＣブロックに上記エラーＥＣＣブロックナンバを記録する手段を設けた情報記録再生装置。
【発明の効果】
【００１１】
この発明による情報記録再生装置は、追記型記録媒体に対して情報の記録中にエラーが発生しても、記録の連続性が途切れずに追記を可能にすることができる。
【発明を実施するための最良の形態】
【００１２】
以下、この発明を実施するための最良の形態を図面に基づいて具体的に説明する。
図１は、この発明の一実施例のＤＶＤ＋Ｒ／ＲＷドライブ装置とホストコンピュータとからなる情報記録システムの構成を示すブロック図である。
このＤＶＤ＋Ｒ／ＲＷドライブ装置１は、マイクロコンピュータによって実現され、ホストインタフェースコントローラ（ＨＯＳＴ  Ｉ／Ｆ  ＣＯＮＴＲＯＬＬＥＲ）３を介してホストコンピュータ２０とデータのやり取りが可能に接続されており、ホストコンピュータ２０からの動画データ，ファイルデータ，画像データ等の各種の情報（データ）を追記型記録媒体であるＤＶＤ＋Ｒディスク１８に記録し、ＤＶＤ＋Ｒディスク１８に記録されている動画データ，ファイルデータ，画像データ等の各種の情報（データ）を再生してホストコンピュータへ送る。
【００１３】
不揮発性メモリ２は、フラッシュＲＯＭ（Ｆｌａｓｈ  ＲＯＭ）等のＣＰＵ１７がデータ内容を消去，書き換え可能な不揮発性メモリである。
ホストＩ／Ｆコントローラ３は、ホストコンピュータ２０とこのＤＶＤ＋Ｒ／ＲＷドライブ装置１とのデータ通信を司るＬＳＤである。
バッファマネージャ（ＢＵＦＦＥＲ  ＭＡＮＡＧＥＲ）４は、ホストコンピュータ２０から転送されるデータ及びＤＶＤ＋Ｒディスク１８から読み出したデータの転送制御をするＬＳＩである。
バッファメモリ５は、ホストコンピュータ２０から転送されるデータ及びＤＶＤ＋Ｒディスク１８から読み出したデータを一時格納するＤＲＡＭ等のメモリである。
【００１４】
サブコードオペレーションコントローラ（ＳＵＢ  ＣＯＤＥ  ＯＰＥＲＡＴＩＯＮ  ＣＯＮＴＲＯＬＬＥＲ）６は、ＤＶＤ＋Ｒディスク１８上に記録するサブコードを生成したり、ＤＶＤ＋Ｒディスク１８から読み出したサブコードを分離（ＳＵＢ  Ｐ，Ｑ，Ｒ，…、Ｗ）するＬＳＩである。
ＣＤ−ＲＯＭエンコーダ（ＣＤ−ＲＯＭ  ＥＮＣＯＲＤＥＲ）７は、ＣＤ−ＲＯＭデータをＤＶＤ＋Ｒディスク１８に書く前に変調するＬＳＩである。
メモリ８は、プログラム変数等を格納するＳＲＡＭ等のメモリである。
ＣＤ−ＲＯＭデコーダ（ＣＤ−ＲＯＭ  ＤＥＣＯＲＤＥＲ）９は、ＤＶＤ＋Ｒディスク１８から再生したＣＤ−ＲＯＭデータを復調するＬＳＩである。
【００１５】
オーディオコントローラ（ＡＵＤＩＯ  ＣＯＮＴＲＯＬＬＥＲ）１０は、音楽再生をコントロールするＬＳＩである。
システムコントローラ（ＳＹＳＴＥＭ  ＣＯＮＴＲＯＬＬＥＲ）１１は、ＤＶＤ＋Ｒディスク１８に対するデータの記録と再生を制御するＬＳＩである。
ＣＤ／ＤＶＤエンコーダ（ＣＤ／ＤＶＤ  ＥＮＣＯＲＤＥＲ）１２は、ＤＶＤ＋Ｒディスク１８にデータを記録する前にユーザデータとサブコードをディスク規格に適合できるように変調するＬＳＩである。
ＣＤ／ＤＶＤデコーダ（ＣＤ／ＤＶＤ  ＤＥＣＯＲＤＥＲ）１３は、ＤＶＤ＋Ｒディスク１８から再生した情報を、ユーザデータとサブコードに分離，復調するＬＳＩ（ＣＤ）と、ＤＶＤ＋Ｒディスク１８から再生したデータをユーザデータとしてデコードするＬＳＩ（ＤＶＤ）である。
【００１６】
サーボ（ＳＥＲＶＯ）部１４は、図示を省略した公知の光ピックアップのＤＶＤ＋Ｒディスク１８に対する位置決め制御を行う。その光ピックアップはＤＶＤ＋Ｒディスク１８にデータを記録・再生する際にレーザ光を発生させて照射する装置である。
スピンドルコントローラ（ＳＰＩＮＤＬＥ  ＣＯＮＴＲＯＬＬＥＲ）１５は、ＤＶＤ＋Ｒディスク１８の回転制御を行うＬＳＩである。
ホストインタフェース（ホストＩ／Ｆ）１６は、ホストコンピュータ２０と接続するＡＴＡＰＩバス等のＡＴＡＰＩインタフェースであり、ホストコンピュータ２０との間でＡＴＡＰＩインタフェース（ＡＴＡＰＩ  Ｉ／Ｆ）規格に基づくデータの転送を行う通信線である。
ＣＰＵ１７は、ユーザマイクロコントローラ（Ｕｓｅｒ  Ｍｉｃｒｏ  Ｃｏｎｔｒｏｌｌｅｒ）等の中央演算処理ＬＳＩであり、このＤＶＤ＋Ｒ／ＲＷドライブ装置１の全動作を制御し、この発明に係わる各手段の機能を実現する制御処理を実行する。
【００１７】
ホストコンピュータ２０は、ＣＰＵ，ＲＯＭ，ＲＡＭ等からなるマイクロコンピュータを内蔵し、また衛星放送や地上放送のデジタルやアナログの映像を受信するＴＶチューナーも内蔵し、さらにビデオカメラやデジタルカメラ等の機器も接続可能であり、この発明に係るＤＶＤ＋Ｒ／ＲＷドライブ装置１への欠陥検出要求の命令の送信、ＤＶＤ＋Ｒ／ＲＷドライブ装置１から転送された動画データに基づく動画（映像）再生、ファイルや画像データの再生等の処理やＤＶＤ＋Ｒディスク１８に記録するＴＶチューナで受像した動画の動画データ，ビデオカメラから取り込んだ動画の動画データの生成処理、及びＤＶＤ＋Ｒ／ＲＷドライブ装置１への転送処理等を行う。
【００１８】
図２は、図１に示したＤＶＤ＋Ｒ／ＲＷドライブ装置１における欠陥を検出して管理する処理を示すフローチャート図である。
ここでは、ＤＶＤ＋Ｒディスク１８上の欠陥検出をホストコンピュータ２０からの命令によって開始する場合を説明する。
まず、ＣＰＵ１７は、ホストコンピュータ２０からサーティファイコマンドを受信したとき、挿入されたＤＶＤ＋Ｒディスク１８の欠陥検出を開始する（ステップ（図中「Ｓ」で示す）１）。ＤＶＤ＋Ｒディスクの場合は、サーティファイ実施中にウォブル（Ｗｏｂｂｌｅ）から読み取ったアドレスを監視しておき、予め設定されているサーティファイ終了アドレス（全面サーティファイの場合は、ディスクの最終アドレス）に到達したか否かを判定する（ステップ２）。終了アドレスでなかった場合には、引き続きサーティファイ動作を続行してサーボエラー発生か否かを判断し（ステップ３）、サーボエラー発生でなければステップ２へ戻り、サーボエラー発生ならばステップ４へ進む。
【００１９】
ステップ２で終了アドレスであった場合は、ＤＶＤ＋Ｒディスク１８上の第３リザーブドゾーン（Ｒｅｓｅｒｖｅｄ  Ｚｏｎｅ）に当該ＤＶＤ＋Ｒディスク１８上で検出されたエラーＥＣＣブロック情報（エラーＥＣＣブロックナンバを含む）を記録し（ステップ５）、この処理を終了する。
ステップ３の判断でサーティファイ中にトラック外れ、フォーカス外れなどのサーボエラーが発生した場合は、そのサーボエラーが発生したＥＣＣブロックアドレスをエラーＥＣＣブロックとしてそのエラーＥＣＣブロックナンバをバッファメモリ５に登録する（ステップ４）。その後、次のサーティファイアドレスを設定して（ステップ６）、ステップ１へ戻って次のサーティファイを続行する。
【００２０】
図３は、ＤＶＤ＋Ｒディスク上の第３リザーブドゾーンに記録する１ＥＣＣブロック分の欠陥管理情報のフォーマットと記録する情報の内容を一覧で示す図である。
上記第３リザーブドゾーンは、欠陥が含まれるＥＣＣブロックナンバを含む情報を記録して管理する領域であり、６４ＥＣＣブロックから構成されており、ＤＶＤ＋Ｒディスク１８の内周側から、図３に示すフォーマットで１ＥＣＣブロックずつ記録する。
このようにして、このＤＶＤ＋Ｒ／ＲＷドライブ装置１にＤＶＤ＋Ｒディスクのような追記型ディスクにもディフェクトマネージメント機能を搭載することによって、記録前に検出した欠陥セクタを含むＥＣＣブロックに情報を記録しないようにすることにより、欠陥や傷が存在する追記型ディスクに対してもディスクを無駄にせずに情報の追記録が可能になる。
【００２１】
次に、ホストコンピュータ２０からＤＶＤ＋Ｒ／ＲＷドライブ装置１へ送信する欠陥検出の命令コマンドについて説明する。
図４は、ホストコンピュータ２０からホストＩ／Ｆ１６を介してＤＶＤ＋Ｒ／ＲＷドライブ装置１へ送信されるアタピサーティファイコマンド（ＡＴＡＰＩ  Ｃｅｒｔｉｆｙ  Ｃｏｍｍａｎｄ）のフォーマットを示す図である。
このアタピサーティファイコマンドのオペレーションコード（Ｏｐｅｒａｔｉｏｎ  Ｃｏｄｅ）はＥ０ｈであり、サーティファイスタートアドレス（Ｃｅｒｔｉｆｙ  Ｓｔａｒｔ  Ａｄｄｒｅｓｓ）にはサーティファイ（Ｃｅｒｔｉｆｙ）を開始する物理アドレスを指定する。
【００２２】
また、サーティファイレングス（Ｃｅｒｔｉｆｙ  Ｌｅｎｇｔｈ）には、サーティファイ（Ｃｅｒｔｉｆｙ）を行う長さを指定する。
例えば、サーティファイレングスが００ｈの場合は、ＤＶＤ＋Ｒディスク１８の最終アドレスまでの欠陥検出を実施する。
このようにして、ホストコンピュータからの命令により、ユーザが情報を記録する前に欠陥検出を実施することができるので、追記型ディスクへのデータ記録の安全性を高めることができる。
【００２３】
次に、ＤＶＤ＋Ｒディスク１８のウォブルをデコードすることによってホストコンピュータ２０からのアタピサーティファイコマンドで指定されたアドレスを検出し、そのアドレスから指定の長さ分だけトラッキングのみを実施するとよい。
そのトラッキング中にトラック外れやフォーカス外れ、アドレスエラー（ウォブルからのアドレスが不連続）、ウォブル信号の同期外れなどのサーボエラー検出時に欠陥と見なす。
【００２４】
次に、エラーＥＣＣブロックに論理ブロックアドレスを割り当ててしまうと、ホストコンピュータ２０からの要求されたアドレスにデータを記録できない不具合が生じる。
それは、ホストコンピュータ２０からの記録命令は論理ブロックアドレスで指定されるためである。
図５は、欠陥検出後のＥＣＣブロックの一例のフォーマットを示す図である。
例えば、ＥＣＣブロックＸ（Ｘは２以上の正の整数）が欠陥と見なされたＥＣＣブロックである。物理アドレス（Ｐｈｙｓｉｃａｌ）は、ＥＣＣブロックＸに３１０２０ｈと割り当てられているが、論理ブロックアドレスは割り当てられない。
直前のＥＣＣブロックＸ−１の開始論理アドレスは１０１０ｈであるが、ＥＣＣブロックＸは論理ブロックアドレスをスキップし、直後のＥＣＣブロックＸ＋１の先頭として論理ブロックアドレスが１０２０ｈとなる。
【００２５】
実際に、ＤＶＤ＋Ｒディスク１８の欠陥がなかった場合の物理アドレスと論理ブロックアドレスは、次の数１に基づく演算処理で得られる。
（数１）
論理ブロックアドレス＝物理ブロックアドレス−３００００ｈ
実際に、エラーＥＣＣブロックに論理ブロックアドレスを割り当てないようにすることにより、ホストコンピュータ２０からの指定された論理ブロックアドレスにデータを記録できるようにする必要がある。
このようにして、ホストコンピュータから要求された指定アドレスにデータを記録することが可能になる。
【００２６】
次に、エラーが発生したＥＣＣブロックは未記録ＥＣＣブロックであり、そのＥＣＣブロックの次のＥＣＣブロックにデータを追記した場合は、そのブロック（上記次のＥＣＣブロック）の再生時に再生信号の同期をとることができない。
それを防ぐためには、ユーザデータを記録するＥＣＣブロックの直前に再生同期をとるためのＥＣＣブロックを記録する必要がある。
【００２７】
例えば、図５において、エラーＥＣＣブロックＸには実際にデータは記録されない。
また、ＥＣＣブロックＸ＋１よりデータが記録されるが、ＥＣＣブロックＸには未記録領域なので、そのＥＣＣブロックＸ＋１を再生させるための再生同期をとる領域がない。
したがって、ＥＣＣブロックＸ＋１によりダミーデータを１ＥＣＣブロック分記録し（そのＥＣＣブロックを、ランイン（Ｒｕｎ−ｉｎ）ＥＣＣブロックと呼ぶ）、その直後のＥＣＣブロックＸ＋２にホストコンピュータ２０からのユーザデータを記録させる必要がある。（ＥＣＣブロックＸ＋１を再生させるためには、少なくとも１つ前のＥＣＣブロックにＳｅｅｋし、再生信号の検出をして再生同期をとる必要がある。）
【００２８】
図６は、再生同期をとるためのダミーＥＣＣブロックを追加したときの一例のフォーマットを示す図である。
ＥＣＣブロックＸ＋２はランインＥＣＣブロックであり、このＥＣＣブロックＸ＋２には再生同期をとる目的でダミーデータ（００ｈデータ）を記録するので、論理ブロックアドレスは割り当てられない。
つまり、１つの欠陥に対して、欠陥ＥＣＣブロックＸとランインＥＣＣブロックの２つのＥＣＣブロックに論理ブロックアドレスを割り振らないようにする。
図６に示す例では、ＥＣＣブロックＸ−１の先頭論理ブロックアドレスを１０１０ｈとすれば、ＥＣＣブロックＸ＋２の先頭論理ブロックアドレスが１０２０ｈとなる。
このようにして、エラーＥＣＣブロックの後に記録したユーザデータを再生するための再生同期が取れるようになり、問題なくユーザデータを再生することができる。
【００２９】
次に、ＤＶＤ＋Ｒディスク１８上に多数の傷があったりした場合、検出されるエラーＥＣＣブロックも多くなる。
したがって、記録の連続性が途切れる頻度が多くなるにつれ、記録時のリアルタイム性が損なわれ、特にＴＶからのＡＶデータをリアルタイムで記録する際にホストコンピュータ２０側でバッファオーバーランなどのエラーが発生する可能性が高まる。つまり、ＤＶＤ＋Ｒ／ＲＷドライブ装置１側でエラーＥＣＣブロックのスキップ、ダミーデータを記録するＥＣＣブロックの追加などによりＤＶＤ＋Ｒ／ＲＷドライブ装置１側での処理時間が必要となり、ホストコンピュータ２０がＤＶＤ＋Ｒ／ＲＷドライブ装置１に対してデータを送れなくなる可能性が高まる。
その結果、ＡＶデータの連続性が途切れ、画像飛びなどの不具合が発生する。つまり、ホストコンピュータ２０側でバッファオーバーランが発生すると、そのとき送りたいデータがＤＶＤ＋Ｒ／ＲＷドライブ装置１に送れなくなるため、結果としてそのデータが飛ばされて記録されることになる。
【００３０】
例えば、ＤＶＤ＋Ｒディスク１８上に多数の傷や汚れ、指紋などにより、欠陥検出処理で検出されるエラーＥＣＣブロックも多くなる。
このようなＤＶＤ＋Ｒディスク１８にデータを記録する場合は、ＥＣＣブロックのスキップ動作が頻繁に行われて記録時のパフォーマンスが悪くなる。
その結果として、ＤＶＤ＋Ｒ／ＲＷドライブ装置１のバッファメモリ５の空き容量がなくなり、ホストコンピュータ２０がＤＶＤ＋Ｒ／ＲＷドライブ装置１に対してデータを送出することができなくなり、バッファーオーバーフローとなる。
【００３１】
このような状態においては、ＡＶデータの連続性が失われて一時的にデータが損失することになる。
したがって、ＤＶＤ＋Ｒディスク１８を再生するときには、再生映像が飛んでしまってユーザにとって不快になる。そのようなＤＶＤ＋Ｒディスク１８を作成しないためにも、記録領域に予め設定した数以上の欠陥があると判断したときにはデータの記録動作を中止したほうがいい。
【００３２】
図７は、図１に示したＤＶＤ＋Ｒ／ＲＷドライブ装置１におけるＤＶＤ＋Ｒディスクの記録領域に予め設定した数以上の欠陥があるときには記録しないようにする処理を示すフローチャート図である。
ＣＰＵ１７は、ホストコンピュータからの指定領域の欠陥検出命令に対する欠陥検出動作完了待ちをし（ステップ１１）、ライトプロテクトフラグに０を設定してクリアして欠陥ＥＣＣブロック数の総和であるエラー数を計算し（ステップ１２）、エラー数が１２８個を超えているか否かを判断し（ステップ１３）、１２８を超えている場合は、ライトプロテクトフラグに１を設定してそのＤＶＤ＋Ｒディスク１８へのデータの記録を行わないように設定して（ステップ１４）、この処理を終了する。また、エラー数が１２８以下であればこの処理を終了する。
このようにして、所定数以上のエラーＥＣＣブロックを検出した場合、そのＤＶＤ＋Ｒディスクに対する記録を禁止することにより、上述した再生時の映像飛びなどの不具合を防止することができる。
【００３３】
次に、例えば、ＤＶＤ＋Ｒディスク１８のある所定領域にエラーＥＣＣブロックが集中している場合にも上述したような再生時の映像飛びなどの不具合が発生する。
つまり、上述の処理でＤＶＤ＋Ｒディスク１８の全体の欠陥数が１２８個を越えていなくても、所定領域に欠陥が集中していると、その所定領域に記録しても再生時に映像飛びなどの不具合が発生する可能性が高まる。
そこで、ＤＶＤ＋Ｒディスク１８の記録領域を６４分割し、その各領域について欠陥検査を行ってエラー数が予め設定した欠陥数（例えば、２個、８個など、任意に設定する値）を超えている場合は、そのＤＶＤ＋Ｒディスク１８に対して書き込みを禁止させるとよい。
【００３４】
図８は、図１に示したＤＶＤ＋Ｒ／ＲＷドライブ装置１におけるＤＶＤ＋Ｒディスク１８の記録領域の所定領域に集中して予め設定した数以上の欠陥があるときには記録しないようにする処理を示すフローチャート図である。
ＣＰＵ１７は、ホストコンピュータ２０からの欠陥検出命令を受信したあと、ライトプロテクトフラグを０にしてクリアし（ステップ２１）、次に領域カウンタＸを１に設定し（ステップ２２）、エリアＸ＝１の欠陥検出を開始する（ステップ２３）。
エリアＸの欠陥検出が完了したか否かを判断し（ステップ２４）、完了しなければステップ２３へ戻ってエリアＸの欠陥検出処理を続行し、完了したら、エリアＸ＝１の欠陥数を算出する（ステップ２５）。
【００３５】
上記算出した欠陥数が８個を超えている否かを判断し（ステップ２６）、超えている場合はライトプロテクトフラグを１に設定して、このＤＶＤ＋Ｒディスク１８へのデータ記録を行わないように設定し（ステップ２７）、次のエリアの欠陥検出は実施せずにこの処理を終了する。
また、欠陥数が８個以下であった場合は、エリアＸ＝Ｘ＋１によって次の領域設定をして、エリアＸ＞６４か否かを判断し、全てのエリアについて欠陥検出を行っていなければ、ステップ２３へ戻ってエリア２以降の上述した処理を行う。
そして、全てのエリアＸ＝６４の最終エリアの欠陥検出が終了したと判断したら、この処理を終了する。
このようにして、ＤＶＤ＋Ｒディスクの所定領域に所定数以上のエラーＥＣＣブロックを検出した場合、そのＤＶＤ＋Ｒディスクに対する記録を禁止することにより、再生時の飛びなどの不具合を未然に防止することができる。
【００３６】
次に、上述したように、ＤＶＤ＋Ｒディスク１８に対して情報の記録を実施する前に、ディスク上の傷やゴミなどによる欠陥検出を正しく実施し、その欠陥部（エラーＥＣＣブロック）を飛ばして記録する場合、欠陥検出で検出されたエラーＥＣＣブロックナンバを含むエラーＥＣＣブロック情報は、ＤＶＤ＋Ｒディスク１８上に記録して管理しておき、ＤＶＤ＋Ｒディスク１８に記録する前には参照する必要がある。
エラーＥＣＣブロックの検出は、ＤＶＤ＋Ｒディスク１８上に未記録領域が残っている限り実施される可能性が高い。
したがって、エラー情報が記録される領域は更新できるようにしておくほうが良い。
そこで、上述した欠陥検出処理で検出されたエラーＥＣＣブロック情報である欠陥管理情報を正しく記録再生できるようなフォーマットと処理について説明する。
【００３７】
図９は、ＤＶＤ＋Ｒディスク上の第３リザーブドゾーンに記録する１ＥＣＣブロック分の欠陥管理情報の他のフォーマット例と記録する情報の内容を一覧で示す図である。
第３リザーブドゾーンの１ＥＣＣブロック内に、図９に示すフォーマットでデータを記録する。１ＥＣＣのうち、未使用部は００ｈデータで埋められる。
図１０は、第３リザーブドゾーン（ＲｅｓｅｒｖｅｄＺｏｎｅ）のＥＣＣブロックの構成のフォーマットを示す図である。
第３リザーブドゾーンは、６４ＥＣＣブロックで構成されており、欠陥管理情報を含むＥＣＣブロックを６４個登録することができる。その各ＥＣＣブロックは内周側（１ｓｔ）から順に埋められていき、最初の欠陥検出処理を行った後、１つ目のＥＣＣブロックに欠陥情報を、２回目の欠陥検出処理を行った後は２つ目のＥＣＣブロックに欠陥情報を記録する。このように６４個のＥＣＣブロックを内周側から順に外周側の各ＥＣＣブロックに記録していく。
【００３８】
ここでは、その領域の内周側から外周側に向かって欠陥情報を１ＥＣＣブロック単位で記録していくが、外周側から内周側に向かって記録するフォーマットにしてもよい。
このようにして、ＤＶＤ＋Ｒディスク上のユーザデータ領域に未記録部がある限り、欠陥検出を実施される可能性は高く、後発的にできた傷などの情報を更新することが可能になる。
【００３９】
次に、ＤＶＤ＋Ｒディスク１８上の複数の箇所に欠陥情報を記録しておくとよい。複数箇所に記録しておけば、何かしらの要因で、ある１つの欠陥管理情報が再生できなくても、他の場所から再生することによって欠陥情報を取得することができる。
例えば、ＤＶＤ＋Ｒディスク１８上の内周側と共に外周側の予め設定した領域に欠陥管理情報を記録して、内周側の予め設定した領域又は外周側の領域のいずれかの欠陥管理情報が再生できなくても、もう１つの領域から再生することによって、欠陥情報を取得できるようにする。
【００４０】
図１１は、ＤＶＤ＋Ｒディスク１８の外周側に位置する第３バッファゾーン（ＢｕｆｆｅｒＺｏｎｅ）とその欠陥管理情報領域の位置関係を表わしたフォーマットの図である。
第３バッファゾーンは、ＤＶＤ＋Ｒディスク１８の半径位置約５８ｍｍのところに存在し、開始アドレスは２６０５４０ｈであり、７６８ＥＣＣブロックから構成されており、最も外周の６４ＥＣＣブロックを欠陥管理情報領域として割り当てる（また、４８ＥＣＣブロックを割り当てるようにしても良い）。その６４ＥＣＣブロックの欠陥管理情報領域に外周に向かって１ＥＣＣブロックづつ欠陥管理情報を記録していく。
このようにして、ＤＶＤ＋Ｒディスク１８の複数箇所に記録しておけば、何かしらの要因である１つの欠陥管理情報が再生できなくても、他の場所から再生することによって、欠陥管理情報を取得できる。
【００４１】
次に、ＤＶＤ＋Ｒディスク１８の内周側の領域と外周側の領域のどちらに先に欠陥管理情報を記録するかを決めておくと、内周側と外周側を書き込む間にＤＶＤ＋Ｒ／ＲＷドライブ装置１の電源が遮断されたとしても、今後そのＤＶＤ＋Ｒディスク１８の欠陥管理情報を再生する際に、内周側と外周側のどちらに記録された欠陥管理情報が新しい情報であるかを判断する材料となり得る。
そこで、ＣＰＵ１７は、ＤＶＤ＋Ｒディスク１８の内周側に設定した領域に先に欠陥管理情報を記録し、内周側の領域に記録終了後に外周側の領域に同じ欠陥管理情報を記録するようにする。
このようにして、ＤＶＤ＋Ｒディスクの内周側の領域に先に欠陥管理情報を記録するので、内周側と外周側を書き込む間に電源遮断されたとしても、今後そのＤＶＤ＋Ｒディスクの欠陥情報を再生する際に、内周側の領域に記録された欠陥管理情報が新しい情報であると判断できる可能性が高まる。
【００４２】
次に、電源遮断や記録時または再生時のエラーなどにより、内周側の領域に記録された欠陥管理情報と外周側に記録された欠陥管理情報とが異なるケースが生じる。
図１２は、図１に示したＤＶＤ＋Ｒ／ＲＷドライブ装置１におけるディスク挿入後のディスク情報取得時、又は記録前に内外周の各々の欠陥管理領域の両者に差異があった場合はそのディスクに対して記録及び再生を禁止する処理を示すフローチャート図である。
この処理は、ＣＰＵ１７が、まず、ＤＶＤ＋Ｒディスク１８の内周側の欠陥管理領域を再生し、最後の１ＥＣＣブロックのデータをバッファメモリに記憶する（ステップ３１）。次に外周側の欠陥管理領域を再生し、最後の１ＥＣＣブロックのデータをバッファメモリに記憶する（ステップ３２）。
【００４３】
その後、バッファメモリ内で内周側の欠陥管理領域から再生した最後の１ＥＣＣブロックのデータと外周側の欠陥管理領域から再生した最後の１ＥＣＣブロックのデータとを比較し、その内外データが一致するか否かを判断し（ステップ３３）、両データが異なっていれば、記録禁止フラグを設定してそのＤＶＤ＋Ｒディスク１８への記録を禁止するようにし（ステップ３４）、再生禁止フラグを設定してそのＤＶＤ＋Ｒディスク１８の再生を禁止するようにし（ステップ３５）、この処理を終了する。
また、両データが同じであった場合は、内周側の欠陥管理情報から再生した最後の１ＥＣＣブロックのデータを採用し、この処理を直ぐに終了する。
このようにして、内外周にそれぞれ記録された欠陥管理情報が互いに異なる場合には、そのＤＶＤ＋Ｒディスクに対する記録と再生を禁止するので、ＤＶＤ＋Ｒディスクの誤った位置に情報を記録したり再生したりするような不具合を回避することができる。
【００４４】
次に、ＤＶＤ＋Ｒディスクの挿入後のディスク情報取得時、又は記録前に内外周の各々の欠陥管理領域を再生することによって、両者に差異があった場合は、先に記録した内周側の領域の記録データについて再生のみを可能にするとよい。
図１３は、図１に示したＤＶＤ＋Ｒ／ＲＷドライブ装置１におけるディスク挿入後のディスク情報取得時、又は記録前に内外周の各々の欠陥管理領域の両者に差異があった場合はそのディスクに対して再生を禁止する処理を示すフローチャート図である。
この処理は、ＣＰＵ１７が、まず、ＤＶＤ＋Ｒディスク１８の内周側の欠陥管理領域を再生し、最後の１ＥＣＣブロックのデータをバッファメモリに記憶する（ステップ４１）。次に外周側の欠陥管理領域を再生し、最後の１ＥＣＣブロックのデータをバッファメモリに記憶する（ステップ４２）。
【００４５】
その後、バッファメモリ内で内周側の欠陥管理領域から再生した最後の１ＥＣＣブロックのデータと外周側の欠陥管理領域から再生した最後の１ＥＣＣブロックのデータとを比較し、その内外データが一致するか否かを判断し（ステップ４３）、両データが異なっていれば、内周側の欠陥管理領域に記録された最後のＥＣＣブロックのデータを再生時の欠陥管理情報として採用し（ステップ４４）、再生禁止フラグを設定して再生を禁止するようにし（ステップ４５）、この処理を終了する。
また、両データが同じであった場合は、この処理を直ぐに終了する。
このようにして、ＤＶＤ＋Ｒディスクの内周側に欠陥管理情報を先に記録するので、内周側に新しい欠陥管理情報が記録されているものと想定することができ、ＤＶＤ＋Ｒディスクを再生のみに使用することができる。
【００４６】
次に、欠陥管理情報を記録した後、その情報が再生できないと意味がない。したがって、欠陥管理情報の記録後にはその記録部分を再生し、再生エラーが発生するなら記録リトライを実施して、今後再生できることを確認しておく必要がある。
例えば、欠陥管理情報を記録した後、使用時の温度環境やＤＶＤ＋Ｒディスクの物理特性により、記録品質が悪化し、その情報が再生できない場合も考えられる。
したがって、ＤＶＤ＋Ｒディスクへ欠陥管理情報を記録した後には、その記録した１ＥＣＣブロックを再生し、再生エラーが発生するなら記録リトライを実施して、新しい場所に記録して、今後再生できるように信頼性を高めるようにする。
【００４７】
図１４は、図１に示したＤＶＤ＋Ｒ／ＲＷドライブ装置１における欠陥管理領域への欠陥管理情報の記録処理を示すフローチャート図である。
ＣＰＵ１７は、まず、記録のリトライカウントを１に設定し（ステップ５１）、欠陥管理情報を記録する（ステップ５２）。次に記録したブロックの欠陥管理情報を再生し（ステップ５３）、再生エラーか否かを判断し（ステップ５４）、再生エラーでなければ、この処理を終了し、再生エラーとなった場合は、記録のリトライカウントが予め設定した回数をオーバーしているか否かを判断する（ステップ５５）。
例えば、予め設定した回数を３回とすると４回以上のリトライをしない。ここで、記録のリトライカウントが“３回未満”の場合、記録のリトライカウントを＋１して（ステップ５６）、次のＥＣＣブロックアドレスを設定し（ステップ５７）、ステップ５２へ戻って、欠陥管理情報を再度記録し、その記録後、再生でエラーが発生しなければ、この処理を終了する。
【００４８】
また、記録のリトライカウントオーバーと判断した場合（３回になった場合）は、エラーコードを設定し（ステップ５８）、この処理を終了する。
上記エラーコードは、センスキー（ＳｅｎｓｅＫｅｙ）＝０４ｈ（Ｈ／Ｗエラー）、センスコード（ＳｅｎｓｅＣｏｄｅ）＝０Ｃ００ｈ（ライトエラー：Ｗｒｉｔｅ  Ｅｒｒｏｒ）を設定する。
このように、エラーリカバリを実施し、最後のＥＣＣブロックが完全な形になるようにするとよい。
このようにして、欠陥管理情報の記録後にはその部分を再生し、再生エラーが発生するなら記録リトライを実施することにより、欠陥管理情報が今後再生できるようになる。
【００４９】
なお、この実施例１，２では追記型記録媒体としてＤＶＤ＋Ｒディスク１８について示しているが、この発明の情報記録再生装置は、その他の追記型記録媒体についても同様に実施することができる。また、上述の実施例１，２では、ＤＶＤ＋Ｒディスク１８上の第３リザーブドゾーンに当該ＤＶＤ＋Ｒディスク１８上で検出されたエラーＥＣＣブロック情報を記録する例について説明したが、ＤＶＤ＋Ｒディスク１８上の他の領域にエラーＥＣＣブロック情報を記録する領域を割り当てて、その領域にエラーＥＣＣブロック情報を記録するようにしてもよい。
【産業上の利用可能性】
【００５０】
この発明による情報記録再生装置は、追記型ディスクに対する記録を行える光ディスク装置で有れば上述と同様にして適用することができる。
【図面の簡単な説明】
【００５１】
【図１】この発明の一実施例のＤＶＤ＋Ｒ／ＲＷドライブ装置とホストコンピュータとからなる情報記録システムの構成を示すブロック図である。
【図２】図１に示すＤＶＤ＋Ｒ／ＲＷドライブ装置１における欠陥を検出して管理する処理を示すフローチャート図である。
【図３】図１に示すＤＶＤ＋Ｒディスク上の第３リザーブドゾーンに記録する１ＥＣＣブロック分の欠陥管理情報のフォーマットと記録する情報の内容を一覧で示す図である。
【図４】図１に示すホストコンピュータ２０からホストＩ／Ｆ１６を介してＤＶＤ＋Ｒ／ＲＷドライブ装置１へ送信されるアタピサーティファイコマンドのフォーマットを示す図である。
【図５】欠陥検出後のＥＣＣブロックの一例のフォーマットを示す図である。
【００５２】
【図６】再生同期をとるためのダミーＥＣＣブロックを追加したときの一例のフォーマットを示す図である。
【図７】図１に示すＤＶＤ＋Ｒ／ＲＷドライブ装置１におけるＤＶＤ＋Ｒディスクの記録領域に予め設定した数以上の欠陥があるときには記録しないようにする処理を示すフローチャート図である。
【図８】図１に示すＤＶＤ＋Ｒ／ＲＷドライブ装置１におけるＤＶＤ＋Ｒディスク１８の記録領域の所定領域に集中して予め設定した数以上の欠陥があるときには記録しないようにする処理を示すフローチャート図である。
【図９】図１に示すＤＶＤ＋Ｒディスク上の第３リザーブドゾーンに記録する１ＥＣＣブロック分の欠陥管理情報の他のフォーマット例と記録する情報の内容を一覧で示す図である。
【図１０】第３リザーブドゾーン（ＲｅｓｅｒｖｅｄＺｏｎｅ）のＥＣＣブロックの構成のフォーマットを示す図である。
【００５３】
【図１１】図１に示すＤＶＤ＋Ｒディスク１８の外周側に位置する第３バッファゾーンとその欠陥管理情報領域の位置関係を表わしたフォーマットの図である。
【図１２】図１に示すＤＶＤ＋Ｒ／ＲＷドライブ装置１におけるディスク挿入後のディスク情報取得時、又は記録前に内外周の各々の欠陥管理領域の両者に差異があった場合はそのディスクに対して記録及び再生を禁止する処理を示すフローチャート図である。
【図１３】図１に示すＤＶＤ＋Ｒ／ＲＷドライブ装置１におけるディスク挿入後のディスク情報取得時、又は記録前に内外周の各々の欠陥管理領域の両者に差異があった場合はそのディスクに対して再生を禁止する処理を示すフローチャート図である。
【図１４】図１に示すＤＶＤ＋Ｒ／ＲＷドライブ装置１における欠陥管理領域への欠陥管理情報の記録処理を示すフローチャート図である。
【符号の説明】
【００５４】
１：ＤＶＤ＋Ｒ／ＲＷドライブ装置    ２：不揮発性メモリ    ３：ホストインタフェースコントローラ    ４：バッファマネージャ    ５：バッファメモリ    ６：サブコードオペレーションコントローラ    ７：ＣＤ−ＲＯＭエンコーダ    ８：メモリ    ９：ＣＤ−ＲＯＭデコーダ    １０：オーディオコントローラ    １１：システムコントローラ    １２：ＣＤ／ＤＶＤエンコーダ    １３：ＣＤ／ＤＶＤデコーダ    １４：サーボ（ＳＥＲＶＯ）部    １５：スピンドルコントローラ    １６：ホストＩ／Ｆ    １７：ＣＰＵ    １８：ＤＶＤ＋Ｒディスク    ２０：ホストコンピュータ
【図１】
2006190378.tif 000003
【図２】
2006190378.tif 000004
【図３】
2006190378.tif 000005
【図４】
2006190378.tif 000006
【図５】
2006190378.tif 000007
【図６】
2006190378.tif 000008
【図７】
2006190378.tif 000009
【図８】
2006190378.tif 000010
【図９】
2006190378.tif 000011
【図１０】
2006190378.tif 000012
【図１１】
2006190378.tif 000013
【図１２】
2006190378.tif 000014
【図１３】
2006190378.tif 000015
【図１４】
2006190378.tif 000016